(57)【特許請求の範囲】
【請求項１】
移動農機の後部に畝整形器を配置し、該畝整形器の後部に、紙マルチフィルムＦの引出しガイド機構と、両側を押さえる溝付け覆土機構からなる紙マルチフィルム被覆装置Ｃを配置し、ロール状に巻いた紙マルチフィルムＦの載置部と、畝との間の、紙マルチフィルムＦを引出す経路の中途部において、該紙マルチフィルムＦの前後位置に、前部にワイヤー３６を、後部にガイド板３７を幅方向に略平行に配置し、該ガイド板３７は上下２枚の板を平行に配置した構成とし、
該ワイヤー３６をガイド板３７側に引っ張り、ワイヤー３６がガイド板３７の間を通過する際に、間に配置された紙マルチフィルムＦを切断することを特徴とする紙マルチフィルム被覆装置の切断装置。
【請求項２】
請求項１記載の紙マルチフィルム被覆装置の切断装置において、該ワイヤー３６は両端を係止し、端部にスプリング４３を介装し、該ワイヤー３６を切断ハンドル３５の一端に係止し、該切断ハンドル３５を引っ張ることにより、該ワイヤー３６がガイド板３７の間を通過すべく構成したことを特徴とする紙マルチフィルム被覆装置の切断装置。
【請求項３】
請求項２記載の紙マルチフィルム被覆装置の切断装置において、該切断ハンドル３５の端部にガイドローラー３９を設け、前記ワイヤー３６をガイドローラー３９の溝３９ａに係止し、該ガイドローラー３９を介してワイヤー３６をガイド板３７の側へ引っ張るべく構成したことを特徴とする紙マルチフィルム被覆装置の切断装置。
【発明の詳細な説明】
【０００１】
【発明の属する技術分野】
本発明は、トラクタや管理機等の移動農機後部に畝整形器と紙マルチフィルム被覆装置を配置し、この紙マルチフィルムを切断する技術に関する。
【０００２】
【従来の技術】
従来から野菜を栽培するために、圃場において畝整形を行うと同時にマルチフィルムを敷設することは行われており、マルチフィルムを敷設することによって土壌の温度を高めたり、保温したりして作物の生育を助長したり、作物を植えた場所以外の畝面に雑草が生えないようにしていた。
この従来技術のマルチフィルムは、ポリエチレン等の合成樹脂フィルムでできているために、分解することが殆どなく、使用後には剥がして、焼却したり捨てることとなっていた。
【０００３】
【発明が解決しようとする課題】
しかし、近年では資源の有効利用や環境問題が提起され、合成樹脂製のマルチフィルムに代わり紙マルチフィルムが提供されるようになってきており、紙マルチフィルムを使用することで、作物の収穫後には耕耘機等で土中に鋤込んで、回収する手間を省き、鋤込んだ紙マルチフィルムはパルプでできているために容易に分解し、有機物に変化することで肥料ともなり、生育に貢献することにもなる。
ところで、紙マルチフィルムを敷設して圃場端に至ったり、作業が終了すると、紙マルチフィルムを切断する必要がある。この紙マルチフィルムを切断する構成としては、特開平７−３０６４３号や特開平７−１４７８４６号の技術のように、田植機機の植付部の後端に上下可能に切断刃を左右方向に設け、該切断刃を下降させることによって紙マルチフィルムを切断する構成としていた。
しかし、切断刃が剥き出しになっているために危なく、また、刃部が圃場面に当たるために切れ味が直ぐに落ちてしまうのである。
また、紙マルチフィルム被覆装置の場合には人手によってナイフや鎌等を用いて切断していたが、刃物を持ち歩くので危険であった。
【０００４】
【課題を解決するための手段】
本発明が解決しようとする課題は以上の如くであり、次に該課題を解決するための手段を説明する。
請求項１においては、移動農機の後部に畝整形器を配置し、該畝整形器の後部に、紙マルチフィルムＦの引出しガイド機構と、両側を押さえる溝付け覆土機構からなる紙マルチフィルム被覆装置Ｃを配置し、ロール状に巻いた紙マルチフィルムＦの載置部と、畝との間の、紙マルチフィルムＦを引出す経路の中途部において、該紙マルチフィルムＦの前後位置に、前部にワイヤー３６を、後部にガイド板３７を幅方向に略平行に配置し、該ガイド板３７は上下２枚の板を平行に配置した構成とし、該ワイヤー３６をガイド板３７側に引っ張り、ワイヤー３６がガイド板３７の間を通過する際に、間に配置された紙マルチフィルムＦを切断するものである。
請求項２においては、請求項１記載の紙マルチフィルム被覆装置の切断装置において、該ワイヤー３６は両端を係止し、端部にスプリング４３を介装し、該ワイヤー３６を切断ハンドル３５の一端に係止し、該切断ハンドル３５を引っ張ることにより、該ワイヤー３６がガイド板３７の間を通過すべく構成したものである。
請求項３においては、請求項２記載の紙マルチフィルム被覆装置の切断装置において、該切断ハンドル３５の端部にガイドローラー３９を設け、前記ワイヤー３６をガイドローラー３９の溝３９ａに係止し、該ガイドローラー３９を介してワイヤー３６をガイド板３７の側へ引っ張るべく構成したものである。
【０００５】
【発明の実施の形態】
本発明の車輪式移動装置を説明する。
図１は紙マルチフィルム被覆装置の全体側面図、図２は同じく斜視図、図３は切断装置の斜視図、図４は同じく切断時の斜視図、図５はハンドル先端部の一部断面図である。
【０００６】
図１、図２において移動農機をトラクタ１として、該トラクタ１の後部に装着した紙マルチフィルム被覆装置Ｃの全体構成から説明する。
トラクタ１の後部には３点リンク式の作業機装着装置Ａを介して作業機としてロータリ耕耘装置Ｂが装着されている。ロータリ耕耘装置Ｂの前左右中央のギアボックスとトラクタ１の後面より突出したＰＴＯ軸との間には、ユニバーサルジョイント２を介装している。該ロータリ耕耘装置Ｂのギアボックスから伝動軸やチェーンケース３内のチェーンやスプロケット等を介して耕耘爪軸に動力を伝え、耕耘爪軸上に植設した耕耘爪８を回動することで圃場を内盛り状に耕す。
【０００７】
前記ロータリ耕耘装置Ｂのサポート部より後方に、デプスフレーム４が上下回動自在に突出され、該デプスフレーム４の両側下方にゲージ輪５・５が軸支されている。該デプスフレーム４とトップリンク支持アーム６との間には長さ調節可能な調節リンク７を介装して、該調節リンク７はハンドル９を回動することによってゲージ輪５・５を上下してロータリ耕耘装置Ｂの耕耘深さを調節できるようにしている。
【０００８】
また、ロータリ耕耘装置Ｂ両側のチェーンケース３及びサイドサポートより後方に支持フレーム１０・１０を突設し、該支持フレーム１０・１０の後部に取付ビーム１１を横設し、該取付ビーム１１の両側よりステー１２・１２を後下方に突設している。以下左右対称に構成されているので一側に付いて説明する。該ステー１２の後下部に取付パイプ１４を上下位置調節可能に横設し、該取付パイプ１４に畝整形板１３を左右位置調節可能に取り付けて耕耘と同時に畝整形を行っている。
そして更に、前記取付パイプ１４の外側に溝付アーム１５の前端を枢支し、該溝付アーム１５と取付パイプ１４より下方へ垂設したステー１６との間にバネ１７を介装して、溝付アーム１５を下方回動するように付勢するとともに、上方へ回動したときには死点越えとなって、上方回動位置で維持でき、収納できるようにしている。前記溝付アーム１５の後部には踏圧輪１８が回転自在に支持され、その後部に覆土ディスク１９が配置されて、溝付け覆土機構を構成している。
【０００９】
そして、前記取付ビーム１１上に支柱２０・２０を立設し、該支柱２０・２０に本発明の紙マルチフィルム被覆装置Ｃが装着されている。即ち、支柱２０・２０に上下位置調節可能に側面視Ｌ字状の載置フレーム２１・２１の前部が固定され、本実施例では、支柱２０・２０に上下方向に開口したピン孔に、載置フレーム２１・２１の前部にピンを抜き差しすることにより上下位置調節可能としている。
該載置フレーム２１・２１後下部に水平方向に紙マルチフィルム支持フレーム２２が固設され、該紙マルチフィルム支持フレーム２２は四角形の枠状に構成されて、内側の左右方向の長さを紙マルチフィルムＦの幅よりも長くしている。該紙マルチフィルム支持フレーム２２の内側の前後左右両側には支持ローラー２３・２３・２３・２３が回転自在に枢支され、該支持ローラー２３・２３・２３・２３上に紙マルチフィルムＦを巻いたロールを左右方向に回転自在に載置できるようにしている。
【００１０】
そして、前記載置フレーム２１・２１の中途部の後面に円柱状のストッパー２６・２６が付設され、該ストッパー２６・２６と載置フレーム２１・２１上に予備の紙マルチフィルムＦ１を載置できるようにし、更にその紙マルチフィルムＦ１と支柱２０の間の上に予備の紙マルチフィルムＦ２を載置できるようにしている。
但し、本実施例では二つの予備の紙マルチフィルムを載置できるようにしているが、３本以上であってもよくその数は限定するものではない。２７は紙マルチフィルムＦ・Ｆ１・Ｆ２の両側がずれないように押さえるロールガイドである。
【００１１】
また、紙マルチフィルム支持フレーム２２の後左右中央にガイドローラー取付フレーム２４が上下及び前後位置調整可能に取り付けられ、該ガイドローラー取付フレーム２４にガイドローラー２５が回転自在に支持されて引出しガイド機構を構成している。該ガイドローラー２５は畝の形状に合わせた円錐状に構成されて、一対対向して配置されている。
このようにして、紙マルチフィルムＦの一端を、前記前後の支持ローラー２３・２３・２３・２３の間から下方に引出し、ガイドローラー２５の下方から後方へ引出し、畝端に固定し、走行しながら耕耘作業を行えば、同時に紙マルチフィルムＦが引き出されて、紙マルチフィルムＦの両側は踏圧輪１８に押さえられて、覆土ディスク１９によって土が被せられて押さえることができるのである。
【００１２】
そして、前記支柱２０・２０の上端には蝶番３０・３０が配置され、ロールカバー３１の前部を枢支し、該ロールカバー３１は載置する紙マルチフィルムＦ・Ｆ１・Ｆ２の上方及び前後左右側面を十分覆う大きさとして、できるだけコンパクトとなるようにしている。そして、ロールカバー３１の後端部には係止具３２を配置しており、該係止具３２に係止される被係止具３３が前記紙マルチフィルム支持フレーム２２の後部上に立設した取付体３４上に設けられている。
【００１３】
また、前記紙マルチフィルム支持フレーム２２の下部には、本発明の切断装置Ｄが配置されて、圃場端や作業終了時に紙マルチフィルムＦを長手方向に対して直角方向に切断できるようにしている。即ち、切断装置Ｄの構成は、図３、図４、図５に示すように、切断ハンドル３５とワイヤー３６とガイド板３７等から構成されている。該切断ハンドル３５は棒材からできた本体３５ａの一端をグリップ３５ｂとして、切断時にグリップ３５ｂを持って引っ張れるようにしている。
前記切断ハンドル３５は、紙マルチフィルム支持フレーム２２の下面に前後方向に固定したガイドパイプ４０とガイド板３７の間に摺動自在に挿入されている。前記切断ハンドル３５の他端は、図５に示すように、凹部３５ｃを形成し、該凹部３５ｃ内にガイドローラー３９がピン４１によって回転自在に枢支され、該ガイドローラー３９は凹部３５ｃよりはみ出さない大きさとしている。そして、凹部３５ｃ内のガイドローラー３９に囲まれた空間内にワイヤー３６が挿入され、ガイドローラー３９の溝３９ａに係止されるようにして係止部としている。
【００１４】
前記ガイド板３７は上下２枚平行に配置されて、紙マルチフィルム支持フレーム２２の下面に左右（幅）方向に固定されており、その間隔はワイヤー３６が十分通過できる程度として、一端は前記切断ハンドル３５を摺動支持できるように半円状に曲げている。但し、ワイヤー側の面（前面）に刃面を構成すると更に切断し易くなる。
前記ワイヤー３６は出来るだけ細くして、曲がりやすく切断抵抗が小さくなるようにしており、一端は紙マルチフィルム支持フレーム２２の下面に固定して、中途部は前記ガイドローラー３９と、左右他側の紙マルチフィルム支持フレーム２２の下面に回転自在に支持したガイドプーリー４２にガイドされて、前記ガイド板３７と略平行となり，ガイド板３７の前部位置となるように配置され、他端はスプリング４３に係止され、該スプリング４３の他端は紙マルチフィルム支持フレーム２２に係止されている。
【００１５】
このような構成において、紙マルチフィルムＦの一端を前記前後の支持ローラー２３・２３・２３・２３の間から下方に引出し、ワイヤー３６とガイド３７の間を通して、ガイドローラー２５の下方から後方へ引出し、踏圧輪１８によって両側を押さえて、覆土ディスク１９によって土を被せるのである。
そして、畝端に至ったり、作業終了時に、切断ハンドル３５のグリップ３５ｂを握って引っ張ると、図４に示すように、ワイヤー３６が後方へ引かれて、上下のガイド板３７の間を通過するときに、紙マルチフィルムＦを切断するのである。この時ワイヤー３６はガイドローラー３９とガイドプーリー４２によってガイドされて容易に引っ張ることができる。切断後に切断ハンドル３５を元の位置へ戻せば、スプリング４３の付勢力によってワイヤー３６も元の位置まで戻る。
【００１６】
【発明の効果】
本発明は以上の如く構成したので、次のような効果を奏するのである。
請求項１の如く、移動農機の後部に畝整形器を配置し、該畝整形器の後部に、紙マルチフィルムＦの引出しガイド機構と、両側を押さえる溝付け覆土機構からなる紙マルチフィルム被覆装置Ｃを配置し、ロール状に巻いた紙マルチフィルムＦの載置部と、畝との間の、紙マルチフィルムＦを引出す経路の中途部において、該紙マルチフィルムＦの前後位置に、前部にワイヤー３６を、後部にガイド板３７を幅方向に略平行に配置し、該ガイド板３７は上下２枚の板を平行に配置した構成とし、該ワイヤー３６をガイド板３７側に引っ張り、ワイヤー３６がガイド板３７の間を通過する際に、間に配置された紙マルチフィルムＦを切断する構成としたことにより、ロール状に巻いた紙マルチフィルムの載置部と、畝との間に紙マルチフィルム切断装置を配置したので、切断部分が露出せず安全に切断作業ができ、載置部の下部のスペースを有効に利用できるようになった。
また、前記紙マルチフィルムを引出す中途部の前後位置に、ワイヤーとガイド板を幅方向に略平行に配置したので、切断装置は刃を有せず安全な構成となったのである。
【００１７】
請求項２の如く、該ワイヤー３６は両端を係止し、端部にスプリング４３を介装し、該ワイヤー３６を切断ハンドル３５の一端に係止し、該切断ハンドル３５を引っ張ることにより、該ワイヤー３６がガイド板３７の間を通過すべく構成したことにより、切断ハンドル３５によりワイヤーをガイド板側に引っ張ることで、紙マルチフィルムを切断するようにしたので、簡単な構成にでき、切れ味も略一定となりメンテナンスを簡単にできるようになった。
【００１８】
請求項３の如く、該切断ハンドル３５の端部にガイドローラー３９を設け、前記ワイヤー３６をガイドローラー３９の溝３９ａに係止し、該ガイドローラー３９を介してワイヤー３６をガイド板３７の側へ引っ張るべく構成したことにより、切断ハンドル３５のワイヤー係止部にガイドローラー３９が存在するので、ワイヤー３６を切断ハンドル３５によりスムースに引っ張ることができ、ワイヤーが傷まず高寿命とすることができるのである。
【図面の簡単な説明】
【図１】  紙マルチフィルム被覆装置の全体側面図である。
【図２】  同じく斜視図である。
【図３】  切断装置の斜視図である。
【図４】  同じく切断時の斜視図である。
【図５】  ハンドル先端部の一部断面図である。
【符号の説明】
Ｃ    紙マルチフィルム被覆装置
Ｆ    紙マルチフィルム
Ｄ    切断装置
３５  切断ハンドル
３６  ワイヤー
３７  ガイド板
３９  ガイドローラー
【図１】
0003642899.tif 000002
【図２】
0003642899.tif 000003
【図３】
0003642899.tif 000004
【図４】
0003642899.tif 000005
【図５】
0003642899.tif 000006